(57)【特許請求の範囲】
【請求項１】
吐水口と、
前記吐水口へ水を通水する通水路と、
前記通水路を開閉させ、吐水または止水を行うバルブと、
前記吐水口の近傍のエリアを検知する電波センサと、
前記電波センサから送信された電波が被検知体で反射し得られた検知信号を基に前記バルブに開閉指示する制御部と、
を備えた給水装置において、
前記制御部は、所定の周波数より低い周波数帯域である第１検知信号と、第１検知信号よりも高い周波数帯域である第２検知信号に検知信号を分割し、
前記第１検知信号が予め設定される第１閾値以上、且つ前記第２検知信号が予め設定される第２閾値以下であることを所定時間検知したら前記バルブに強制閉指示する
ことを特徴とする給水装置。
【請求項２】
前記制御部は、前記バルブに強制閉指示を行った後から、所定時間は前記電波センサの検知信号に基く前記バルブの動作を禁止して止水を継続することを特徴とする請求項１記載の給水装置。
【請求項３】
前記制御部は、前記バルブに強制閉指示を行った後から、前記第１検知信号が継続して予め設定される前記第１閾値以上、且つ前記第２検知信号が継続して予め設定される前記第２閾値以下である間は止水を継続することを特徴とする請求項１記載の給水装置。
【請求項４】
前記制御部は、前記バルブに強制閉指示を行った後から、前記第１検知信号が予め設定される前記第１閾値以下、又は、前記第２検知信号が予め設定される前記第２閾値以上となり、再び前記第１検知信号が予め設定される前記第１閾値以上、且つ前記第２検知信号が予め設定される前記第２閾値以下となるまで前記電波センサの検知信号に基く前記バルブの動作を禁止して止水を継続することを特徴とする請求項１又は請求項２に記載の給水装置。
【請求項５】
前記給水装置において、可動するシャッター部材を備え、該シャッター部材により前記電波センサの電波の送信経路を遮蔽することで、前記第１検知信号が予め設定される第１閾値以上、且つ前記第２検知信号が予め設定される第２閾値以下となることを特徴とする請求項１〜４いずれか一項に記載の給水装置。
【発明の詳細な説明】
【技術分野】
【０００１】
本発明は給水装置に関し、より具体的には手洗い場やトイレ、キッチンなどに設けられ、マイクロ波などを利用した電波センサを用いて吐水流の吐止水を制御する給水装置に関する。 
【背景技術】
【０００２】
従来、非接触センサーを用いて吐水口近傍に被検知体を検知する検知エリアを設け、吐水口近傍の被検知体を検出して吐止水を行う給水装置において、給水装置や給水装置周辺を掃除する人が吐水口付近を拭くときなどに、手や腕などが吐水口に極端に接近し吐水が開始されてしまうことで、水跳ねして袖などを濡らしてしまうなどの問題があった。問題を解決する従来技術として、吐水口近傍に光電センサーを設置し、吐水口近傍に差し出される手やハブラシ、コップなどの被検知体を反射光量の大きさで検出する給水装置であって、光電センサー及び吐水口に極端に近い位置で被検知体を検出したら止水させることで、水の使用有無に関わらず、給水装置付近で何かしらの行為をしている際に、誤って吐水口に極端に近い位置に被検知体を移動させてしまったときに吐水されることを防止できるため、水跳ねして袖などを濡らしてしまうなどの問題を解決できるようにした技術がある（例えば、特許文献１参照）。 上記技術はまた、掃除をする人が掃除中に吐水をしないようにするために、センサーに対して専用のカバーで覆ったり、リモコンで掃除専用モードに切替えるなど特別な冶具を用意しておく必要もなく面倒もない。さらには吐水口に極端に近い位置でのみ、強制的に止水するように閾値が設定されているため、通常時に水を使いたい使用者が吐水させるために吐水口近傍に手や物を差出すときには吐水できる技術であるとしている。
しかしながら、実際に給水装置の水を使用する使用者は、両手を洗う、指先をちょっとだけ洗う（指先洗い）、両手に水を溜めるなど様々な行為を行うために、各行為によって被検知体の差出位置なども異なる。たとえば、指先洗いや両手に水溜める行為などにおいては、吐水口に極端に近い位置に被検知体を差出すことがあり、上記技術においてはこのような場合に、吐水させたいにもかかわらず強制的に止水してしまうなどの問題があった。
【先行技術文献】
【特許文献】
【０００３】
【特許文献１】特開２００３−２５３７１４号公報
【発明の概要】
【発明が解決しようとする課題】
【０００４】
本発明は、上記問題を解決するためになされたもので、本発明の課題は、給水装置の水を使用したい使用者が使用するときには各行為におけるどんな被検知体の状態においても強制的に止水することなく、且つ、給水装置や給水装置周辺を掃除する人などに対しては手軽な特定動作を行うことで簡単に強制的に止水及びその解除が確実にできるようにすることである。
【課題を解決するための手段】
【０００５】
上記目的を達成するために請求項１記載の発明によれば、吐水口と、吐水口へ水を通水する通水路と、通水路を開閉させ、吐水または止水を行うバルブと、吐水口の近傍のエリアを検知する電波センサと、電波センサから送信された電波が被検知体で反射し得られた検知信号を基にバルブに開閉指示する制御部と、を備えた給水装置において、制御部は、所定の周波数より低い周波数帯域である第１検知信号と、第１検知信号よりも高い周波数帯域である第２検知信号に検知信号を分割し、第１検知信号が予め設定される第１閾値以上、且つ第２検知信号が予め設定される第２閾値以下であることを所定時間検知したら前記バルブに強制閉指示することを特徴とする給水装置を提供する。
かかる構成とすることにより、第１検知信号で被検知体が吐水口に極端に近い位置まで接近したかどうかを判断することに加え、第２検知信号で被検知体が揺らぎの無い略静止状態になったかどうかを判断することによって、被検知体が吐水口を塞いだことを識別して判断できるため、吐水口を塞ぐという特定の行為によってのみ強制的に止水することを可能とした。
【０００６】
また、請求項２記載の発明によれば、制御部は、バルブに強制閉指示を行った後から、所定時間は電波センサの検知信号に基くバルブの動作を禁止して止水を継続することを特徴とする給水装置を提供する。
かかる構成とすることにより、被検知体が吐水口を塞いで強制的に止水させた後も、通常に水を使用する状態の制御に戻すための特定な動作が必要なく煩わしさが無い。このときたとえばタイマの設定時間は、掃除を終えるのに十分な時間を設定しておけばよい。
【０００７】
また、請求項３記載の発明によれば、制御部は、バルブに強制閉指示を行った後から、第１検知信号が継続して予め設定される第１閾値以上、且つ第２検知信号が継続して予め設定される第２閾値以下である間は止水を継続することを特徴とする給水装置を提供する。
かかる構成とすることにより、たとえば被検知体を掃除で主に使用される雑巾として、雑巾を吐水口に覆い被せるようにして塞ぐだけで手軽に強制的に止水を継続できるとともに、掃除が終わったら吐水口に被せた雑巾をはずすだけですぐに水を使用する状態の制御に戻すことができ、水を使用したい使用者が使用することができる。
【０００８】
また、請求項４記載の発明によれば、制御部は、バルブに強制閉指示を行った後から、第１検知信号が予め設定される第１閾値以下、又は、第２検知信号が予め設定される第２閾値以上となり、再び第１検知信号が予め設定される第１閾値以上、且つ第２検知信号が予め設定される第２閾値以下となるまで電波センサの検知信号に基くバルブの動作を禁止して止水を継続する、ことを特徴とする給水装置を提供する。
かかる構成とすることにより、被検知体が吐水口を塞いで強制的に止水させた後も、再び同じ塞ぐ動作をするまでは止水を継続することができ、自分で止水を解除したいタイミングに合わせて解除を行うことができるため安心して掃除などの作業が行える。
【０００９】
また、請求項５記載の発明によれば、給水装置において、可動するシャッター部材を備え、シャッター部材により電波センサの電波の送信経路を遮蔽することで、第１検知信号が予め設定される第１閾値以上、且つ第２検知信号が予め設定される第２閾値以下となることを特徴とする給水装置を提供する。
かかる構成とすることにより、掃除作業者が手で塞ぐよりもさらに手軽に強制的に止水させることができる。
【発明の効果】
【００１０】
本発明によれば、給水装置の吐水口を塞ぐという、水を使用したい使用者の被検知体では起こらない動作を確実に識別することで、掃除などを行う人だけが手軽に強制的に止水を行うことができるとともに、吐水口を塞ぐ行為を強制的な止水の解除にも適用すれば、掃除などの作業中には誤吐水せず、復帰させたいときには手軽に復帰させることができるようになり、作業者は安心して一連の作業を行うことができるという効果がある。
【図面の簡単な説明】
【００１１】
【図１】給水装置の第１の実施例の概観図である。
【図２】電波センサを例示するためのブロック図である。
【図３】制御部を例示するためのブロック図と制御部の内部で分割して生成される第１検知信号及び、第２検知信号の概略図である。
【図４】給水装置の水で両手を洗う使用者の動作を示したものである。
【図５】両手を洗う行為における第１検知信号と第２検知信号の電圧値の時間変化を例示するグラフ図である。
【図６】給水装置の水で水を溜める使用者の動作を示したものである。
【図７】両手に水を溜めている行為中における第１検知信号と第２検知信号の電圧値の時間変化を例示するグラフ図である。
【図８】給水装置の水で片手の指先をちょっと洗う使用者の動作を示したものである。
【図９】給水装置の吐水口を手で塞いで強制的に止水させる動作を示したものである。
【図１０】手で吐水口を塞ぐ行為中における第１検知信号と第２検知信号の電圧値の時間変化を例示するグラフ図である。
【図１１】制御部にタイマを具備し、強制止水するモードから通常に使用者が使用できるモードへタイマで設定される時間後に自動的に復帰する際の制御のフローチャートを示したものである。
【図１２】制御部の判定手段にて第１閾値以上、且つ第２閾値以下を継続している間は強制止水されるモードとなり、その条件から外れた場合に通常に使用者が使用するモードへ復帰する際の制御のフローチャートを示したものである。
【図１３】制御部の判定手段にて強制止水するモードへ移行した後、第１閾値以上、且つ第２閾値以下が所定時間Ｔｔ以上継続したことを判定したら通常に使用者が使用できるモードへ復帰する際の制御のフローチャートを示したものである。
【図１４】給水装置の第２の実施例の外観図である。
【発明を実施するための形態】
【００１２】
以下、本発明にかかる自動給水装置の実施の形態を図面により詳細に説明する。
【実施例】
【００１３】
（第１の実施例）
図１に給水装置の第１の実施例の概観図を示す。
図１に示す給水装置１０は、吐水口１１と吐水口１１へ水を通水する通水路１２が接続され、吐水口１１及び通水路１２の一部は金属部材７で周辺を覆われ吐水部１として形成される。また、通水路１２の途中には通水路１２を開閉させ、吐水口１１からの吐水または止水を行うバルブ４が具備される。電波センサ３は吐水口１１から離れた位置に、送信される電波が吐水部１の内部（金属部材７と通水路１２及び吐水口１１の間にある空間）を伝播し、吐水口１１から外部の空間へ放出されるように設置される。このとき、電波センサ３から送信する電波が吐水部１の内部で減衰する量を少なくするために、吐水部１の内部に挿入した導波管を電波センサ３の電波が送信される部分に接続し導波管の先端から電波を送信したり、または吐水部１の内部を吐水口まで通した同軸ケーブルを電波センサ３に接続し、同軸ケーブルや同軸ケーブルの先端に接続したアンテナから電波を送信してもよい。このような電波センサ３の設置とすることで、狭い吐水口にセンサを窮屈に設置することなく、吐水口の近傍のみを検知する検知エリアを簡単に形成することができるとともに、センサへの水跳ねやいたずらによる検知精度の劣化を防止できる。また、制御部５は電波センサ３とバルブ４に接続され、電波センサ３から電波が送信され被検知体で反射し受信した検知信号を基にバルブの開閉を行う出力信号を出力することで、吐水口１１から外部の空間への吐水または止水の制御を行う。
【００１４】
図２は、電波センサ３を例示するためのブロック図である。
電波センサ３には、アンテナ１１２、送信部１１４、受信部１１６、ミキサ部１１８が設けられている。送信部１１４に接続されたアンテナ１１２からは、高周波、マイクロ波あるいはミリ波などの１０ｋＨｚ〜１００ＧＨｚ程度の周波数帯の電波が放射される。具体的には、アンテナ１１２からは、たとえば、１０．５２５ＧＨｚや２４．１５ＧＨｚの周波数を有する送信波Ｔ１が放射される。人体などの被検知体からの反射波または透過波Ｔ２は、アンテナ１１２を経由して受信部１１６に入力される。ここで、アンテナは、図２（ａ）に表したように送信側と受信側とを共通としてもよく、または、図２（ｂ）に表したように、送信部１１４にはアンテナ１１２ａを接続し、受信部１１６にはアンテナ１１２ｂを接続してもよい。送信波の一部と受信波とは、ミキサ部１１８にそれぞれ入力されて合成され、検知信号が出力される。ミキサ部１１８から出力された検知信号は制御部５に向けて出力される。
【００１５】
次に、制御部５について説明をする。
図３に、制御部５を例示するためのブロック図と制御部５の内部で分割して生成される第１検知信号及び、第２検知信号の概略図を示す。
まず、図３（ａ）に制御部５を例示するためのブロック図を示す。
制御部５には、フィルタ部２１０、判定手段２３０が設けられている。また、フィルタ部２１０には、フィルタ２１０ａと、フィルタ２１０ｂとが設けられている。フィルタ２１０ａは、第１検知信号を抽出するための低い周波数帯域（例えば３Ｈｚ以下）のフィルタであり、電波センサ３のアンテナ１１２から放射される電波が吐水口１１近傍から放射されるようにしたとき、吐水口１１と被検知体の距離が近いほど電圧値として得られる振幅が大きくなる傾向となる。一方、フィルタ２１０ｂは第２検知信号を抽出するためのフィルタ２１０ａの周波数帯域よりも高い周波数帯域（例えば３Ｈｚより大きい）のフィルタであり、給水装置で手やハブラシ、コップなどの被検知体を洗浄したり水を溜める行為の速度で動作する検知信号は通過させ、略静止状態（故意に被検知体を静止させる程度）の速度である検知信号は大きく減衰させるものである。
【００１６】
図３（ｂ）に、吐水口１１と被検知体の距離（横軸）に対する第１検知信号の電圧値（縦軸）を示す。電圧値は振幅波形として得られ、振幅は吐水口１１と被検知体との距離が近いほど大きくなる。ここで、図３（ｃ）は、図３（ｂ）の振幅のピーク値を結んだものであり、ピーク値を検出することにより一意的に吐水口１１と被検知体の距離が近いほど電圧値が大きくなるように表すことができる。これにより、一定の閾値を設定し、閾値以上なら被検知体が吐水口１１から一定の距離以内であると判断することができる。判定手段２３０には第１検知信号における第１閾値Ｖ１が設定されるが、第１閾値Ｖ１の値は例えば被検知体が吐水口１１から３０ｍｍまで接近した距離で得られる電圧値程度に設定される。
【００１７】
次に、図３（ｄ）に両手を擦っているときの、時間（横軸）に対する第２検知信号の電圧値（縦軸）を示す。電圧値は時系列的な振幅波形として得られる。両手を擦る動作は速度変化は早い、ゆっくり、一瞬静止する、ゆっくり、早いと繰り返す動作となる。ここで、フィルタ２１０ｂにより、一瞬静止するときの速度の検知信号は大きく減衰し振幅が小さくなる。図３（ｅ）は、図３（ｄ）の振幅のピーク値を近似曲線で結び、時系列的な電圧値の変化として処理することにより、一瞬静止するときのみ電圧値が極めて小さくなる。判定手段２３０には第２検知信号における第２閾値Ｖ２が設定されるが、第２閾値Ｖ２の値は被検知体を故意に静止させたとき得られる電圧値より大きく設定される。
【００１８】
判定手段２３０は被検知体が吐水口１１に極端に近い位置に接近したことを第１検知信号が第１閾値以上となったことで判定し、被検知体の動きが略静止状態であることを第２検知信号が第２閾値以下となったことで判定し、第１閾値以上、第２閾値以下が所定時間以上継続したら、バルブ４へバルブ４を開するための出力信号を出力する。
【００１９】
以上のことから、第１検知信号による被検知体の吐水口１１への極端な接近だけでなく、第２検知信号による被検知体の静止状態を判定条件に加えることで、被検知体が故意に吐水口１１を塞いだ動作を確実に判定することができる。したがって、給水装置の水を使用したい使用者が使用するときには各行為におけるどんな被検知体の状態においても強制的に止水することなく、且つ、給水装置やその周辺を掃除する方などに対しては手軽な塞ぐ行為を行うことで簡単に強制的に止水及びその解除を確実に行うことができる。
【００２０】
また、判定手段２３０に接続されるように報知手段２５０を具備してもよい。報知手段２５０は判定手段２３０の出力信号を基に、強制的に止水しているかどうかの判断を外部に光や音の情報などによって報知することによって、掃除作業者などが作業途中で吐水してしまうという不安を持つことなく、安心して作業を行うことができる。
【００２１】
以下、様々な行為で水を使用したい使用者の被検知体の差出位置と、各行為から得られる第１検知信号及び第２検知信号について幾つか記載する。
図４は給水装置１０の水で両手を洗う使用者の動作を示したものである。
使用者は被検知体である両手を吐水口１１に接近させると両手は吐水口１１から送信される電波センサ３の電波ビーム４０に当たり始める（図４（ａ））。ここで、制御部５の判定手段２３０により、バルブ４が開となり吐水口１１から水が吐水されると、使用者は吐水口１１に手が当たらないように５０ｍｍ程度以上の距離を保ちながら両手を着水させ、手を擦って洗う（図４（ｂ））。
【００２２】
図５は図４（ｂ）のように両手を洗う行為における第１検知信号と第２検知信号の電圧値の時間変化を例示するグラフ図である。
使用者が吐水口１１に向かって被検知体である手を差し出すと、判定手段２３０は第１検知信号が閾値Ｖ１よりも小さい所定の閾値Ｖｎ１以上が所定時間以上を判定し、バルブ４を開する出力信号を出力し吐水口１１から吐水が開始される。
【００２３】
使用者が両手を擦って洗っている状態では、吐水口１１５０ｍｍ〜１５０ｍｍ程度の距離を保とうとするため、第１検知信号は図５（ａ）のように第１閾値Ｖ１より小さい電圧値が検出される。一方、第２検知信号は図５（ｂ）のように両手を擦っている動きや吐水口１１から吐水された水が両手に当たって飛散する動きがあるため、Ｖ２以上の電圧値が検出される。したがって、両手を洗う行為によって強制的に止水されることなく快適に使用することができる。その後、手が吐水口１１から離れるときに、第１検知信号の所定の閾値Ｖｎ２以下が所定時間以上となると、判定手段２３０はバルブ４を閉する出力信号を出力し吐水口１１からの吐水が終了する。
【００２４】
図６は給水装置１０の水で水を溜める使用者の動作を示したものである。
使用者は被検知体である両手を吐水口１１に接近させると両手は吐水口１１から送信される電波センサ３の電波ビーム４０に当たり始める（図６（ａ））。ここで、制御部５の判定手段２３０により、バルブ４が開となり吐水口１１から水が吐水されると、使用者は早く水を溜めたかったり、水が跳ねないように両手を吐水口１１に極端に近い位置（３０ｍｍ前後）に持って行くことがある（図６（ｂ））。
【００２５】
図７は図６（ｂ）のように両手に水を溜めている行為中における第１検知信号と第２検知信号の電圧値の時間変化を例示するグラフ図である。
両手を着水させて水を溜めている状態では、３０ｍｍ前後を行き来するので、第１検知信号は図７（ａ）に示すように第１閾値Ｖ１より大きくなったり小さくなったりする。一方、第２検知信号は図７（ｃ）に示すように水を溜めている両手の揺らぎや吐水口１１から吐水された水が両手からこぼれ落ちる動きがあり、主に第２の閾値Ｖ２以上で検出される。一瞬手の動作が略静止状態になりＶ２以下になることがあるが、所定時間Ｔｔ以上継続してＶ２以下にならないようにＴｔを設定（例えば３秒程度）しておけば強制的に止水することはない。したがって両手で水を溜める行為によって強制的に止水されることはなく、使用者は快適に使用することができる。
【００２６】
図８は給水装置１０の水で片手の指先をちょっと洗う使用者の動作を示したものである。
使用者は被検知体である片手を吐水口１１に接近させると片手は吐水口１１から送信される電波センサ３の電波ビーム４０に当たり始める（図８（ａ））。ここで、制御部５の判定手段２３０により、バルブ４が開となり吐水口１１から水が吐水されると、使用者は水が跳ねないように片手を吐水口に極端に近い位置に持って行くことがある（図８（ｂ））。また、片手が着水した後は指先を擦る動きや手に当たった水が飛散する動きになる。したがって、図６及び図７で上述した水を溜める行為と同様に３０ｍｍ前後を行き来するので第１検知信号は閾値Ｖ１より大きくなったり小さくなったりする。また、第２検知信号は主に閾値Ｖ２以上の電圧値が検出される。したがって、片手の指先をちょっと洗う動作によっても強制的に止水されることなく快適に使用することができる。
【００２７】
次に、強制的に止水したい掃除作業者などの被検知体の差出位置と、差出動作から得られる第１検知信号と第２検知信号について幾つか記載する。
図９は給水装置１０の吐水口１１を手で塞いで強制的に止水させる動作を示したものである。
まず、被検知体である片手を吐水口１１に接近させると片手は吐水口１１から送信される電波センサ３の電波ビーム４０に当たり始める（図９（ａ））。ここで、制御部５の判定手段２３０により、バルブ４が開となり吐水口１１から水が吐水される。続いて、吐水口１１を塞ぐように片手を持っていく（図９（ｂ））。
【００２８】
図１０は図９（ｂ）のように手で吐水口を塞ぐ行為中における第１検知信号と第２検知信号の電圧値の時間変化を例示するグラフ図である。
片手で吐水口１１を塞ぐようにする図９（ｂ）の状態では、第１検知信号は吐水口に３０ｍｍ以内の極端に近い距離であるので、第１閾値Ｖ１以上で検出される。一方、第２検知信号は片手が略静止状態にあることから第２閾値Ｖ２以下で検出される。このとき、第１閾値以上、第２閾値以下は所定時間Ｔｔ以上継続して検出されることにより塞いだ行為が判断でき、強制的に止水することができる。また、吐水口１１を塞ぐ別の方法として、手の代わりに掃除する方などが作業時に持ち歩いているであろう雑巾を吐水口１１に覆い被せることで塞いでもよい。このときにも片手で塞ぐ行為と同様に第１検知信号の第１閾値以上、第２検知信号の第２閾値以下が所定時間Ｔｔ以上継続して検出されることから、吐水口１１からの吐水を強制的に止水することができる。
【００２９】
以上のことより、給水装置１０の吐水口１１を塞ぐという、水を使用したい使用者の被検知体では起こらない動作を第１検知信号と第２検知信号から識別でき、掃除などを行う人だけが手軽に強制的に止水を行うことができる。
【００３０】
次に、強制的に止水を行った後に止水を解除する幾つかの方法について、フローチャートを用いて説明する。
図１１は制御部５にタイマを具備し、強制的に止水するモードから通常時に水を使いたい使用者が被検知体を差し出したときに吐水するモード（へタイマで設定された時間後に自動的に復帰する際の制御のフローチャートを示したものである。まず、電源ＯＮされ（ステップＳｔ１）、第１検知信号の閾値Ｖｎ１以上が所定時間Ｔｎ１以上継続したら被検知体が現れたと判断し吐水が開始される（ステップＳｔ２〜Ｓｔ３）。その後、第１検知信号のＶｎ２以下が所定時間Ｔｎ２以上継続したら被検知体がいなくなったと判断し止水が開始される（ステップＳｔ４〜Ｓｔ５）、このとき閾値Ｖｎ１とＶｎ２は同じ値でもよい。ステップＳｔ５の条件にならなければ被検知体が在るとして吐水は継続される。よって、ステップＳｔ２〜ｓｔ５により通常に給水装置を使用する使用者は快適に使用することができる。次に、吐水中に第１検知信号の閾値Ｖ１以上、且つ第２検知信号の閾値Ｖ２以下が所定時間Ｔｔ以上継続すると、吐水口が塞がれたと判断し強制止水が開始される（ステップＳｔ４、Ｓｔ６〜Ｓｔ８）。
【００３１】
同時にタイマカウントｔＨが０にセットされカウントを開始する（ステップＳｔ９）。タイマカウントｔＨは、たとえば掃除を始めてから終わるまでの時間に設定すればよく、１０分程度とすることができる。タイマカウントがｔＨ経過すると（ステップＳｔ１０）、自動的に通常に使用者が使用できるモードに復帰する（ステップＳｔ２）。
タイマで復帰することにより、吐水口を塞いで強制的に止水させた後も、通常に水を使用する状態の制御に戻すための特定な動作が必要なく煩わしさが無い。
【００３２】
次に、図１２は制御部５の判定手段２３０にて第１閾値以上、且つ第２閾値以下を継続している間は強制止水されるモードとなり、その条件から外れた場合に通常に使用者が使用するモードへ復帰する際の制御のフローチャートを示したものである。まず、電源され（ステップＳｚ１）、図１１のステップＳｔ２〜Ｓｔ５と同様に吐水と止水の制御が行われることによって、通常に給水装置を使用する使用者は快適に使用することができる（ステップＳｚ２〜Ｓｚ５）。次に制御部５の判定手段２３０により、第１の閾値以上、且つ第２の閾値以下が所定時間Ｔｔ以上継続すると、吐水口が塞がれたと判断し、強制止水するモードへ移行する（ステップＳｚ６〜Ｓｚ８）。その後、そのまま第１の閾値以上、且つ第２の閾値以下が継続したら吐水口が継続して被検知体で塞がれていると判断し強制止水するモードを継続する）。、ステップＳｚ６、７の条件から所定時間Ｔｆ（１０秒程度）以上外れたら（ステップＳｚ９〜Ｓｚ１０）、通常に使用者が使用できるモードへ復帰する（ステップＳｚ２）。強制的に止水する条件を満足しなくなったことで復帰することにより、たとえば被検知体を雑巾として、雑巾を吐水口に覆い被せるようにして塞ぐだけで手軽に強制的に止水を継続できるとともに、掃除が終わったら吐水口に被せた雑巾をはずすだけですぐに水を使用する状態の制御に戻すことができ、水を使用したい使用者が使用することができる。
【００３３】
次に、図１３は制御部５の判定手段２３０にて強制止水するモードへ移行した後、第１閾値以上、且つ第２閾値以下が所定時間Ｔｔ以上継続したことを判定したら通常に使用者が使用できるモードへ復帰する際の制御のフローチャートを示したものである。まず、電源され（ステップＳｆ１）、図１１のステップＳｔ２〜Ｓｔ５と同様に吐水と止水の制御が行われることによって、通常に給水装置を使用する使用者は快適に使用することができる（ステップＳｆ２〜Ｓｆ５）。次に制御部５の判定手段２３０により、第１の閾値以上、且つ第２の閾値以下が所定時間Ｔｔ以上継続すると、吐水口が塞がれたと判断し強制止水するモードへ移行する（ステップＳｆ６〜８）。強制的に止水するモードになったら、次に第１閾値Ｖ１以下、または第２閾値Ｖ２以上であるかどうかを判定する（ステップＳｆ９）。これは、強制止水した後もステップＳｆ６及びＳｆ７の条件が継続されているかどうかを判定するもので、物を吐水口１１に固定し継続して強制止水させる場合にはＳｆ９の判定により永久的に強制止水をすることができる。ここで、Ｓｆ９の判定により強制止水確定後に吐水口１１極近傍に何もないと判定されると、タイマカウントｔＫが０にセットされカウントを開始する（ステップＳｆ１０）。タイマカウントｔＫは、たとえば掃除を始めてから終わるまでの時間に設定すればよく、１０分程度とすることができる。タイマカウントがｔＫ経過すると（ステップＳｆ１１）、自動的に通常に使用者が使用できるモードに復帰する（ステップＳｆ２）。また、タイマカウントｔＫが経過する前に第１の閾値Ｖ１以上、且つ第２の閾値Ｖ２以下が所定時間Ｔｗ以上継続すると（ステップＳｆ１２〜Ｓｆ１３）、強制止水するモードの時に吐水口が塞がれたと判断し、通常に使用者が使用できるモードへ復帰（ステップＳｆ２）する。強制的に止水する条件と同様の条件を満足することで復帰することにより、被検知体が吐水口を塞いで強制的に止水させた後も、再び同じ操作をするまで誤って吐水することなく止水を継続することができるだけでなく、自分で止水を解除したいタイミングに合わせて解除を行うことができるため安心して掃除などの作業が行うことができる。
【００３４】
以上のことから、タイマだけでなく、吐水口１１を塞ぐ行為を強制的な止水の解除にも適用することにより、掃除などの作業中には誤吐水せず、復帰させたいときには手軽に復帰させることができるようになり、安心して一連の作業を行うことができる。
【００３５】
（第２の実施例）
図１４に給水装置の第２の実施例の概観図を示す。
図１４に示す給水装置２０は、大半の構成は第１の実施例と同様だが、吐水口２１と、吐水部１の内部からの電波が外部の空間へ送信されるための電波送信穴５３と、金属製で電波送信穴５３を塞ぐ、または塞がないように可動できるモード切替用シャッター５１と、が金属部材５５に組み込まれ、吐水ユニット５０として形成されている。モード切替用シャッター５１は、水を使用したい使用者が使用する際には電波送信穴５３を塞がないように設定することで、電波送信穴５３から電波が外部の空間へ送信され、吐水口２１近傍に差し出される被検知体を検出することができる。一方、掃除作業者などが強制的に止水したい場合にはモード切替用シャッター５１を可動させ、電波送信穴５３を塞ぐように設定することで、電波送信穴５３から電波が外部の空間へ送信されず、吐水口２１に極めて近い位置に略静止した被検知体が存在することと同様の状態になる。このとき得られる第１検知信号は閾知Ｖ１以上、且つ第２検知信号は閾知Ｖ２以下になるため、所定時間Ｔｔ以上継続すると強制的に止水することができる。強制的な止水の解除方法としては、掃除作業者などが作業後に自分でモード切替用シャッター５１を電波送信穴５３が塞がれない様に戻しても良いし、モード切替用シャッター５１に所定時間経過すると電波送信穴５３が塞がれない位置まで自動的に可動するような構造（たとえば自動復帰するバネ構造など）とすることで、通常に水を使用する状態の制御に戻すための特定な動作が必要なく煩わしさが無い。たとえばバネ構造とした場合にはバネが戻る設定時間は、掃除などの作業を終えるのに十分な時間（１０分程度）と設定しておけばよい。
【００３６】
本発明における実施例では、手や手に保持しているハブラシやコップなどの被検知体を接近させると、被検知体に当たるように吐水を開始させる給水装置を例に挙げたが、本発明はその他に小便器や大便器などの給水装置にも適用でき、例えば樹脂や陶器で作られた自動洗浄小便器や大便器、お尻洗浄や乾燥、便蓋や便座の自動的な開閉などのユニット内に、通常に使用する使用者が塞がない位置にセンサを設置し、掃除作業者などが故意に塞ぐことによって機器の機能の一部を一旦停止することができ、掃除作業者がその間は安心して作業を行う環境を構築することができる。
【００３７】
また、本発明の第１検知信号と第２検知信号をピーク値のみで導出したが、第１検知信号で距離に対する電圧値と閾値Ｖ１、第２検知信号で速度に対する閾値Ｖ２が本発明を満足できるように設定できるのであれば、加えて移動平均値などを利用するなど導出方法は問わない。
【符号の説明】
【００３８】
１…吐水部
３…電波センサ
４…バルブ
５…制御部
７…金属部材
１０、２０…給水装置
１１、２１…吐水口
１２…通水路
４０…電波ビーム
５０…吐水ユニット
５１…モード切替用シャッター
５３…電波送信穴
５５…金属部材
１１２…アンテナ
１１４…送信部
１１６…受信部
１１８…ミキサ部
２１０…フィルタ部
２３０…判定手段
２５０…報知手段
【図１】
0005818223.tif 000002
【図２】
0005818223.tif 000003
【図３】
0005818223.tif 000004
【図４】
0005818223.tif 000005
【図５】
0005818223.tif 000006
【図６】
0005818223.tif 000007
【図７】
0005818223.tif 000008
【図８】
0005818223.tif 000009
【図９】
0005818223.tif 000010
【図１０】
0005818223.tif 000011
【図１１】
0005818223.tif 000012
【図１２】
0005818223.tif 000013
【図１３】
0005818223.tif 000014
【図１４】
0005818223.tif 000015